(57)【要約】【課題】屋内施設の特定位置における歩行者の安全を図る安全表示装置を提供する。【解決手段】屋内施設内の通路６ａ、６ｂは交差領域７で互いに直交し、交差領域７の４面には通路遮蔽物８ａ〜８ｄが設けられている。各通路の交差領域７への入り口付近の床面には圧電素子群を配設した検知ゾーン１ａ〜１ｄを設ける。検知ゾーン１ａ〜１ｄの圧電素子群は、導線３ａ〜３ｄにより表示ゾーン４の光源と電気的に接続されている。歩行者９ａが検知ゾーン１ａに到達して荷重が印加されると圧電素子群に電力が発生し、導線３ａで電気エネルギーが表示ゾーン４の発光素子群に伝達され、出力光が出射される。異なる方向から交差領域に接近する歩行者９ｂに歩行者９ａの存在を報知する。【選択図】  図１
2008281904.tif 000002
【特許請求の範囲】
【請求項１】
施設内の特定位置における第１の歩行者または物体の通行を検知する検知手段と、前記第１の歩行者または物体の通行を表示する表示手段と、前記検知手段と前記表示手段とを電気的に連結する手段とを備え、前記表示手段は前記第１の歩行者または物体の通行方向とは異なる方向から通行する第２の歩行者が視認できる位置に設置されていることを特徴とする、安全表示装置。
【請求項２】
前記第２の歩行者は、前記第１の歩行者または物体の通行を直接には見ることができない遮蔽物が設けられていることを特徴とする、請求項１に記載の安全表示装置。
【請求項３】
前記表示手段は、出力光に指向性がある光源を有することを特徴とする、請求項１または請求項２に記載の安全表示装置。
【請求項４】
前記光源は複数の発光素子を有し、各発光素子の出力光の指向性を異ならせたことを特徴とする、請求項３に記載の安全表示装置。
【請求項５】
前記施設内に交差領域を有する通路を設け、前記各通路の前記交差領域への入口付近に前記検知手段を設けたことを特徴とする、請求項１ないし請求項４のいずれかに記載の安全表示装置。
【請求項６】
前記交差領域に前記表示手段を設け、当該表示手段は前記第１の歩行者または物体の通行する方向と対面する方向に発光面が形成されていることを特徴とする、請求項５に記載の安全表示装置。
【請求項７】
前記表示手段は、前記第１の歩行者または物体の通行方向の左右両側の前記遮蔽物に設けたことを特徴とする、請求項５に記載の安全表示装置。
【請求項８】
前記施設内にコーナー領域を有する通路を設け、前記各通路の前記コーナー領域への入口付近に前記検知手段を設けたことを特徴とする、請求項１または請求項２に記載の安全表示装置。
【請求項９】
前記施設内に設けた通路に向けて開放されるドアを有し、当該ドアの前記開放側とは反対側に前記検知手段を設けたことを特徴とする、請求項１または請求項２に記載の安全表示装置。
【請求項１０】
前記遮蔽物に前記表示手段を設けたことを特徴とする、請求項８または請求項９に記載の安全表示装置。
【請求項１１】
前記検知手段は帯状に形成されており、複数の圧電素子が配列されていることを特徴とする、請求項１ないし請求項１０のいずれかに記載の安全表示装置。
【請求項１２】
前記検知手段と前記表示手段とを電気的に連結する手段は導線であることを特徴とする、請求項１ないし請求項１１のいずれかに記載の安全表示装置。
【請求項１３】
前記検知手段と前記表示手段とを電気的に連結する手段は、前記検知手段側に設けた送信アンテナと前記表示手段側に設けた受信アンテナ間の電波であることを特徴とする、請求項１ないし請求項１１のいずれかに記載の安全表示装置。
【発明の詳細な説明】
【技術分野】
【０００１】
本発明は、屋内施設などの特定位置における歩行者の安全を図るために設けた安全表示装置に関する。
【背景技術】
【０００２】
民間会社などの事務棟や公共施設などの屋内施設内においては、通路が直交する交差領域や曲がり角（コーナー領域）などが設けられている。これらの交差領域やコーナー領域において、異なる方向から来た歩行者同士の出会い頭の衝突事故が発生する場合がある。その原因は、壁面などの通路遮蔽物により視界が遮られて死角になっているため、異なる方向から来る歩行者を相互に認識できないことによるものである。
【０００３】
ところで、物体の重量が印加されると電気エネルギーを発生する圧電素子が知られている。圧電素子は、センサーなどの種々の用途に利用されているが、例えば特許文献１には、歩行者や車両が通過する際に圧電素子に発生する電力を取り出すことが開示されている。すなわち、圧電素子を電源として利用することが記載されている。
【０００４】
【特許文献１】特開２００６−１９７７０４
【発明の開示】
【発明が解決しようとする課題】
【０００５】
前記のような交差領域などにおける歩行者の衝突防止対策として、曲がり角の部分にミラーを設置し、死角を減らす方法がある。しかし一般的に使用されている凸面鏡は、物が小さく映るために視認性が悪いという問題があった。またある程度の設置スペースが必要であり、狭い通路には設置が難しいという問題があった。さらに、歩行者が特定領域に存在することを特許文献１に記載されたような圧電素子を利用することも考えられるが、特許文献１には、このような応用に対する具体的な構成が記載されていないという問題があった。
【０００６】
本発明は、上記課題を解決するものであって、施設内の特定位置における歩行者や台車などの物体の衝突防止を図るために、圧電素子の発生電力を用いた安全表示装置の提供を目的とするものである。
【課題を解決するための手段】
【０００７】
このような目的を達成するために、本発明の安全表示装置は、施設内の特定位置における第１の歩行者または物体の通行を検知する検知手段と、前記第１の歩行者または物体の通行を表示する表示手段と、前記検知手段と前記表示手段とを電気的に連結する手段とを備え、前記表示手段は前記第１の歩行者または物体の通行方向とは異なる方向から通行する第２の歩行者が視認できる位置に設置されていることを特徴とする。
【０００８】
また、本発明の安全表示装置は、前記第２の歩行者は、前記第１の歩行者または物体の通行を直接には見ることができない遮蔽物が設けられていることを特徴とする。
【０００９】
また、本発明の安全表示装置は、前記表示手段は、出力光に指向性がある光源を有することを特徴とする。
【００１０】
前記光源は複数の発光素子を有し、各発光素子の出力光の指向性を異ならせたことを特徴とする、請求項３に記載の安全表示装置。
【００１１】
また、本発明の安全表示装置は、前記施設内に交差領域を有する通路を設け、前記各通路の前記交差領域への入口付近に前記検知手段を設けたことを特徴とする。
【００１２】
また、本発明の安全表示装置は、前記交差領域に前記表示手段を設け、当該表示手段は前記第１の歩行者または物体の通行する方向と対面する方向に発光面が形成されていることを特徴とする。
【００１３】
また、本発明の安全表示装置は、前記表示手段は、前記第１の歩行者または物体の通行方向の左右両側の前記遮蔽物に設けたことを特徴とする。
【００１４】
また、本発明の安全表示装置は、前記施設内にコーナー領域を有する通路を設け、前記各通路の前記コーナー領域への入口付近に前記検知手段を設けたことを特徴とする。
【００１５】
また、本発明の安全表示装置は、前記施設内に設けた通路に向けて開放されるドアを有し、当該ドアの前記開放側とは反対側に前記検知手段を設けたことを特徴とする。
【００１６】
また、本発明の安全表示装置は、前記遮蔽物に前記表示手段を設けたことを特徴とする。
【００１７】
また、本発明の安全表示装置は、前記検知手段は帯状に形成されており、複数の圧電素子が配列されていることを特徴とする。
【００１８】
また、本発明の安全表示装置は、前記検知手段と前記表示手段とを電気的に連結する手段は導線であることを特徴とする。
【００１９】
また、本発明の安全表示装置は、前記検知手段と前記表示手段とを電気的に連結する手段は、前記検知手段側に設けた送信アンテナと前記表示手段側に設けた受信アンテナ間の電波であることを特徴とする。
【発明の効果】
【００２０】
本発明によれば、次のような効果が得られる。（１）交差領域やコーナー領域に、歩行者や台車などの物体が近づいてきているかどうかを表示する機能を有する安全表示装置を安価に実現できる。（２）安全表示装置を床面や壁面に埋め込んだ状態で使用するので、設置スペースをほとんど取らず、スペースを節約できる。（３）圧電素子を組み込んだ床材自体がセンサと電源の機能を兼ねており、電力供給が不要である。（４）構成要素が少なく、施工性が高い。
【発明を実施するための最良の形態】
【００２１】
図１は、本発明の実施形態における安全表示装置を示す説明図である。図１において、屋内施設内の通路６ａ、６ｂは交差領域７で互いに直交する。交差領域７の４面には、壁面やパーティションなどの通路遮蔽物８ａ〜８ｄが設けられている。各通路の交差領域７への入り口付近の床面には、圧電素子群を配設した検知ゾーン１ａ〜１ｄを取り付けている。これらの検知ゾーン１ａ〜１ｄの圧電素子群は、導線３ａ〜３ｄにより表示ゾーン４の光源、例えばＬＥＤ単体、または複数のＬＥＤからなる発光素子群、と電気的に接続されている。検知ゾーン１ａ〜１ｄは、通路の床材に直接埋め込むことができ、圧電素子群は歩行者や台車などの物体検知のセンサと、電源の機能を兼ねており電力供給が不要である。
【００２２】
表示ゾーン４は、交差領域７の床面に設けられている。表示ゾーン４の表面には、透明または半透明の強化ガラスや透明プラスチックが被覆されており、光源の発光素子群を機械的な押圧力から保護している。また、発光素子群の出力光が外部に出射して表示ゾーン４を照明できるようにしてある。導線３ａ〜３ｄは、交差領域７の床面下に配線されている。
【００２３】
検知ゾーン１ａ〜１ｄは、通路遮蔽物８ａ〜８ｄの端面、すなわち、交差領域７の入り口から１〜２ｍ程度の位置に帯状に設ける。検知ゾーン１ａ〜１ｄをあまり交差領域７に近い位置に設置すると、異なる方向から交差領域に接近してくる歩行者に対する警告の表示が遅れてしまうからである。例えば、歩行者９ａ（第１の歩行者）が交差領域７に接近し、検知ゾーン１ａに到達して荷重が印加されると圧電素子群に電力が発生し、導線３ａで電気エネルギーが表示ゾーン４の発光素子群に伝達され、発光素子群から出力光が出射される。
【００２４】
表示ゾーン４には、４方向から交差領域７に進行してくる歩行者に対面する位置に、それぞれ発光面を設けている。例えば、歩行者９ａの進行方向には発光面４ａが設けられている。このため、歩行者９ａが検知ゾーン１ａに到達すると表示部４ａから発光素子群の出力光が出射され、発光面４ａが明るく照らされる。歩行者９ａとは異なる方向から交差領域７に進行してくる歩行者９ｂ（第２の歩行者）は、発光面４ａが照明されることにより、歩行者９ａが交差領域７に進行してくることを事前に判断できる。圧電素子群の発生エネルギー量は少なく短時間の発光しか行えないが、出力光に指向性を持たせることで、報知を必要とする人のみに視認性の高い表示を行う。
【００２５】
このようにして、特定方向に発光面を有する表示ゾーン４を設けることにより、歩行者９ｂが歩行者９ａと交差領域７で出会い頭に衝突する事故の発生を防止することができる。歩行者９ｂが検知ゾーン１ｄに到達すると、表示ゾーン４の発光面４ｄが明るくされる。なお、検知ゾーン１ａ〜１ｄでは、歩行者のみならず物体、例えば台車などの交差領域７への進行も検知することができる。この場合には、歩行者と台車、または台車同士が交差領域７で出会い頭に衝突する事故の発生を防止することができる。
【００２６】
図２は、図１を立体的に表示した例を示す説明図である。図１で説明したように、歩行者９ａが検知ゾーン１ａに存在していると、表示ゾーン４の発光面４ａのみが明るくされる。このため、歩行者９ａとは異なる方向から交差領域７に接近してきた他の歩行者９ｂは、歩行速度を遅くしたり歩行者９ａの通過を待つなどの措置をとることができる。
【００２７】
図３は、本発明の異なる実施形態を示す説明図である。この例では、発光部に指向性のある光源（例えば砲弾型のＬＥＤ等）、あるいは偏光フィルタを用いることにより、進行方向に対して直角方向の指向性を持たせ、表示が不要な進行方向に発光させないようにしている。また、発光部の形状を三角あるいは矢印にして、歩行者がどの方向から来るのかについて認識性を高める。
【００２８】
図３（ａ）において、歩行者９ａの進行方向をＸとするときに、表示ゾーン４の発光面４ａからは、Ｙ方向には光源の出力光は出射しない。光源の出力光１３ａ、１３ｂは、歩行者９ａの進行方向Ｘに対して直交する方向に出射する。この場合には、特に出力光１３ａ、１３ｂの方出射向に対面して進行する他の歩行者に対して、歩行者９ａの交差領域への進行を報知することができる。
【００２９】
図３（ｂ）は、三角形状の発光素子５の例を示している。この場合には、先端方向に強い指向性がある出力光が出射される。図３（ｃ）は、複数の砲弾形状の発光素子群５ａ、５ｂを配列して、それぞれ異なる方向に出力光１３ａ、１３ｂを出射する例を示している。図３（ｄ）は、単一の砲弾形状の発光素子５を設けて出力光１３を出射する例を示している。図３（ａ）〜図３（ｄ）に示されたように、光源の出力光に指向性を持たせることにより、多様な発光面を形成する表示ゾーン４を実現することができる。
【００３０】
図４は、本発明の他の実施形態を示す説明図である。図４の例では、表示手段を交差領域７に設けることに代えて、壁面などの通路遮蔽物に設けている。１０ａ、１０ｄは、通路遮蔽物８ａ、８ｄに設けた表示部で、導線３ａ、３ｂにより検知ゾーン１ａの圧電素子群と電気的に接続されている。表示部１０ａ、１０ｄからは、光源の出力光１３ａ、１３ｄが出射される。この場合には、歩行者９ａからみて左右両側の通路遮蔽物８ａ、８ｄの２個所に表示部１０ａ、１０ｄを設けているので、歩行者９ａとは異なる方向から交差領域に接近する歩行者に、確実に歩行者９ａの存在を報知することができる。
【００３１】
図５は、図４の立体的な表示の例を示す説明図である。図４で説明したように、第１の歩行者が交差領域に接近すると、通路遮蔽物の特定個所の表示部が発光するので、どの位置の検知ゾーンに第１の歩行者が存在しているかが、他の歩行者（第２の歩行者）に分かりやすい利点がある。図５の例では、他の歩行者９ｂは、自分からみて発光部１０ａ、１０ｄの左側の検知ゾーン１ａに第１の歩行者９ａが存在していることを判断することができる。
【００３２】
図６は、本発明の他の実施形態を示す説明図である。図６では、通路６に対して、事務室などのドア１１が外開きに開放される例を示している。このような場合には、急にドア１１が開放されるとドア近傍を通行している歩行者がドアにぶつかる恐れがある。そこで、ドア１１の開放方向とは反対側の位置に検知ゾーン１ｘを設ける。検知ゾーン１ｘを設ける位置は、ドア１１から１〜２ｍ離れた位置とする。通路側の壁面には表示部１０ｕ、１０ｖを設ける。
【００３３】
ドア１１を開放して通路６にでようとする第１の歩行者が存在すると、検知ゾーン１ｘでこれを検知し、表示部１０ｕ、１０ｖから光源の出力光を出射させる。このため、ドア１１の近傍の通路６を通行している他の歩行者（第２の歩行者）は、ドア１１の位置から離れる、などの対応をとることができる。この例でも、通路を台車が進行する場合やドアから台車がでる場合にも、それぞれ歩行者、または台車との衝突を防止することができる。なお、図６の例ではドア１１の内側は事務室に限らず、倉庫などから台車で物品を搬出する際の事故防止にも有用である。
【００３４】
図７は、本発明の他の実施形態を示す説明図である。図７では、通路６ｒ、６ｓが直角に曲がって、コーナー領域を形成している。この場合には、コーナー領域の手前１〜２ｍの位置に検知ゾーン１ｙ、１ｚを設ける。また、コーナー領域の壁面には、表示部１０ｒ、１０ｓを設ける。この例でも、通路遮蔽部８ｘで視野が遮られている歩行者は、表示部１０ｒ、１０ｓによりコーナー領域の進行方向に他の歩行者、または台車が存在して、自分の方向に対向して進行してきているかどうかを判断することができる。
【００３５】
図８は、本発明の概略構成を示すブロック図である。図８において、検知ゾーン１には、複数の圧電素子群２を例えば並列に接続する。表示ゾーン４には、単一または複数の発光素子５が配列されており、圧電素子群２と発光素子（群）は、導線３で接続される。
【００３６】
図９は、本発明の異なる実施形態のブロック図である。この例では、検知ゾーン１に送信部１４を設け、表示ゾーン４に受信部１５を設ける。送信部１４には送信アンテナ１４ａを取り付け、受信部１５には受信アンテナ１５ａを取り付ける。検知ゾーン１と表示ゾーン４間の距離が短いので、微弱な電波でも十分に送受信が可能である。この場合には、導線の敷設が不要になる。なお、光源への給電電力が不足する場合には、表示ゾーン４の光源に電池を接続し、受信アンテナが電波を受信した際にスイッチが動作して、電池から光源の発光素子に給電する構成としても良い。
【産業上の利用可能性】
【００３７】
以上説明したように、本発明は、屋内施設などに設置されている通路の特定位置における歩行者の安全を図る安全表示装置を提供することができる。
【図面の簡単な説明】
【００３８】
【図１】本発明の実施形態の全体構成を示す説明図である。
【図２】本発明の処理手順を示す説明図である。。
【図３】本発明の実施形態を示す説明図である。
【図４】本発明の実施形態を示す説明図である。
【図５】本発明の実施形態を示す特性図である。
【図６】本発明の実施形態を示す説明図である。
【図７】本発明の実施形態を示す説明図である。
【図８】本発明の実施形態を示すブロック図である。
【図９】本発明の実施形態を示すブロック図である。
【符号の説明】
【００３９】
１・・・検知ゾーン、２・・・圧電素子、３・・・導線、４・・・表示ゾーン、５・・・発光素子、６・・・通路、７・・・交差領域、８・・・通路遮蔽物、９・・・歩行者、１０・・・表示部、１１・・・ドア、１２・・・コーナー領域、１３・・・出射光
【図１】
2008281904.tif 000003
【図２】
2008281904.tif 000004
【図３】
2008281904.tif 000005
【図４】
2008281904.tif 000006
【図５】
2008281904.tif 000007
【図６】
2008281904.tif 000008
【図７】
2008281904.tif 000009
【図８】
2008281904.tif 000010
【図９】
2008281904.tif 000011